(57)【要約】［課題］  これまでのグリルの汚れ防止具は、アルミニウム箔などの金属箔で作られでいる。しかし金属箔は製造行程が複雑だったり、材料費が高いなどのために、高価になり、簡単に使い捨てに出来ない。［解決手段］  本考案は、グリル内に設置され、水を溜める受け皿と、焼き物を載せる複数の平行な線条からなる網の、両方の汚れを防止する汚れ防止具であり、一枚の紙を一定の間隔で、裏と表に折っていくことで、蛇腹状にし、その谷折部の両側を内側に折る事によって側折部を形成し、その山折部が網を覆い、谷折部が受け皿の水に浸るようにセットして使う、使い捨てのグリル用汚れ防止具である。［選択図］  図１【実用新案登録請求の範囲】
【請求項１】
グリル内に設置され、水を溜める受け皿と、焼き物を載せる複数の平行な線条からなる網の、両方の汚れを防止する汚れ防止具であり、一枚の紙を一定の間隔で、交互に裏と表に折っていくことで、蛇腹状にし、その谷折部の両側を内側に折る事によって側折部を形成し、その山折部が網を覆い、谷折部が受け皿の水に浸るようにセットして使う、使い捨てのグリル用汚れ防止具
【考案の詳細な説明】
【技術分野】
【０００１】  本考案は、グリル内において、魚等を焼く網にセットし、網と受け皿の両方の汚れを防止する汚れ防止具に関する。
［背景技術］【０００２】従来のグリル汚れ防止具は、すべてアルミニウム箔などの金属箔で出来ていおり、使い捨てにする発想が無く、金属に色んな特殊加工を施している。その中で、特に、特許文献１は、形の上で本考案と殆ど同じに見える。しかしこの汚れ防止具は金属制であり、２つの部品からできており、スライドさせることで幅が調整できるようになっている。家庭に有るガスレンジの多くは、受け皿に水を溜めて使うものである。しかしこの考案では、公報にも書いて有るように、受け皿の水に浸して使う場合は、接合部から水が漏れる可能性がある。水が漏れない様に出来たとしても、スライドさせるのはそれほど容易とは思えない。重なる部分が、きつ過ぎるとスライドが難しくなり、弱いと水が漏れる。それをするには、どちらかの金属箔の結合部分を二重にするか、もう一つの部品が必要であると思われる。しかも実際には、幅が違ってくると、網の線条の数が違ってくるので、汚れ防止具の山の数もそれに合わす必要がある。幅だけ調整しても意味がないのである。サイズの違いはそれ程無いので、最初から合ったサイズを用意しておいた方が良い。【０００３】［特許文献１］
実開平０４−８２６９４号公報
［考案の開示］
［考案が解決しようとする課題］【０００４】  従来のグリルの汚れ防止具は、金属箔で出来ており、金属に色んな特殊加工を施している。その為に部品が多くなったり、製造工程が多くなり、製造コストが高くなっている。また上記特許文献１においては、２つの部品から出来ており、受け皿の水に浸して使う場合、接合部から水が漏る恐れがあり、接合部から水が漏らないようにするための工夫が必要である。それをするには、ますます製造工程が増え、製造コストが高くなり、使い捨てにするには値段が高くなる。また金属は捨てるときに分別が必要、という欠点が有った。【０００５】  本発明は以上のような従来の欠点に鑑み、材料に紙を使うことによって、原材料費を安くし、一枚の紙で製造することで、製造行程を大幅に減らし、生産コストを下げ、気軽に使い捨てのできる、グリル汚れ防止具を提供することを目的とする。
［課題を解決する為の手段］【０００６】  本考案は、グリル内に設置され、水を溜める受け皿と、焼き物を載せる複数の平行な線条からなる網の、両方の汚れを防止する汚れ防止具であり、一枚の紙を一定の間隔で、交互に裏と表に折っていくことで、蛇腹状にし、その谷折部の両側を内側に折る事によって側折部を形成し、その山折部が網を覆い、谷折部が受け皿の水に浸るようにセットして使う、事によって問題を解決している。
［考案の効果］【０００７】以上の説明から明らかなように、本発明にあっては次に列挙する効果が得られる。【０００８】（１）グリル内に設置され、水を溜める受け皿と、焼き物を載せる複数の平行な線条からなる網の、両方の汚れを防止する汚れ防止具であり、一枚の紙を一定の間隔で、交互に裏と表に折っていくことで、蛇腹状にし、その谷折部の両側を内側に折る事によって側折部を形成し、その山折部の部分が網を覆い、谷折部が受け皿の水に浸るようにセットして使う事によって、受け皿と網の両方の汚れを防止することができる。【０００９】（２）前記（１）によって、谷折部が受け皿の水に浸るようにセットして使う事で、紙のシートが燃えることはない。【００１０】（３）前記（１）によって、部品が紙一枚であり、接着剤などの、接合部品が不要なので、製造行程を大幅に削減し、製造コストを格段に安くすることができる【００１１】（４）前記（１）によって、一枚の紙で出来ているので、接合部が無く、接合部の破損が無い。【００１２】（５）前記（１）によって、紙は捨てるときに、分別する必要が無いために、簡単に使い捨てができる。【００１３】（６）前記（１）によって、紙を折っただけなので、折りたたむと小さくなり、収納に場所を取らない【００１４】（７）前記（１）によって、側折部が有るために、魚などから出る汁が受け皿にもれず、網や受け皿に魚などの臭いがつかない。【００１５】（８）以上のことから金属箔製より遥かに安価で、気軽に使い捨ての出来る、使い捨てのグリル汚れ防止具が、紙を使う事で可能になる。
［考案を実施するための最良の形態］【００１６】以下、図面に示す発明を実施する最良の形態により、本発明を詳細に説明する。【００１７】図１は汚れ防止具本体で、実際に装着する時の状態を示す。図のように一枚の紙を一定の間隔で、交互に裏と表に折っていくことで、蛇腹状にし、その谷折部の両側を内側に折る事によって側折部を形成している。これによって受け皿の水がシートの上に来るのを防ぎ、焼き物から出た汁が受け皿に漏れるのを防いでいる。図２は本汚れ防止具の収納時の形態であり、図４はガスレンジのグリルの一例を示す。【００１８】このシートを図３のように山折部２が網４を覆うように、谷折部３が受け皿５に溜めた水６に浸るようにセットする。この上に焼き物を載せ、バーナーに火をつけても、この紙のシートが燃える事はない。【００１９】このようにセットして使用する事で、グリルの網も受け皿も汚れず、魚などの臭いもつかず、収納時にはコンパクトな、グリル汚れ防止具が出来る。
【図面の簡単な説明】
【００２０】［図１］本考案の実施例の斜視図
［図２］本考案の収納時の斜視図
［図３］本考案をグリルにセットした状態の一例を示す断面図
［図４］本考案の汚れ防止具が用いられるグリルの一例を示す斜視図
［符号の説明］【００２１】１：側折部
２：山折部
３：谷折部
４：グリルの網
５：グリルの受け皿
６：受け皿に溜まった水
【図１】
0003104076.tif 000002
【図２】
0003104076.tif 000003
【図３】
0003104076.tif 000004
【図４】
0003104076.tif 000005
【手続補正書】
【提出日】平成16年4月6日(2004.4.6)
【手続補正２】
【補正対象書類名】明細書
【補正対象項目名】０００２
【補正方法】変更
【補正の内容】
【０００２】従来のグリル汚れ防止具は、すべて金属箔などの不燃材料で出来ており、使い捨てにする発想が希薄であり、金属に色んな特殊加工を施している。その中で、特に、特許文献１は、形の上で本考案と殆ど同じに見える。しかしこの汚れ防止具は金属制であり、２つの部品からできており、スライドさせることで幅が調整できるようになっている。家庭に有るガスレンジの多くは、受け皿に水を溜めて使うものである。しかしこの考案では、公報にも書いて有るように、受け皿の水に浸して使う場合は、接合部から水が漏れる可能性がある。水が漏れない様に出来たとしても、スライドさせるのはそれほど容易とは思えない。重なる部分が、きつ過ぎるとスライドが難しくなり、弱いと水が漏れる。それをするには、どちらかの金属箔の結合部分を二重にするか、もう一つの部品が必要であると思われる。しかも実際には、幅が違ってくると、網の線条の数が違ってくるので、汚れ防止具の山の数もそれに合わす必要がある。幅だけ調整しても意味がないのである。サイズの違いはそれ程無いので、最初から合ったサイズを用意しておいた方が良い。
【手続補正３】
【補正対象書類名】明細書
【補正対象項目名】０００３
【補正方法】変更
【補正の内容】
【０００３】実開平０４−４１３３８
【手続補正４】
【補正対象書類名】明細書
【補正対象項目名】０００５
【補正方法】追加
【補正の内容】
【０００５】本発明は以上のような従来の欠点に鑑み、使い捨てに特化し、紙の鍋が燃えないように、蛇腹状の紙を網に被せ、その谷の部分が受け皿の水に浸っていると燃えないことを利用して、材料に紙を使うことで、原材料費を安くし、一枚の紙で製造することで、製造行程を大幅に減らし、生産コストを下げ、気軽に使い捨てのできる、グリル汚れ防止具を提供することを目的とする。